(57)【要約】      （修正有）【課題】ゲームの進行を速め、経済的利益を高め、コストを低下させる効果を達成できるエアー浮球機の構造を提供する。【解決手段】箱体２０、導球台３０、球コントロール台４０、複数の送風機アセンブリを有する。箱体頂部には取球管２４を通して設置する。導球台の頂面には複数の上通孔３３、回球孔３４を設置し、内部には複数の球道３５を設置し、球道上端には上通孔を連接し、下端には取球管を連通する。球コントロール台は導球台上方に設置され、複数の出球孔を有する上台板アセンブリ、複数の位置限定孔を有する下台板、位置限定孔に嵌めて設置される複数の収容設置管、下台板の底面に設置される複数の移動板を有する。複数の球レール４８の上方は回球孔下方に設置され、下方は箱体に対応し、球レールと箱体の間にはゲートアセンブリ５０を設置する。複数の送風機アセンブリは箱体下方に設置される。【選択図】図４
2019092982.tif 000002
【特許請求の範囲】
【請求項１】
エアー浮球機の構造であって、箱体、導球台、台体、球コントロール台を有し、
前記箱体は、底部が開放を呈する矩形箱で、前記箱体には、複数の球収容空間を設置し、前記球収容空間後側面には、それぞれ進球口を設置し、前記球収容空間頂部には、それぞれ取球管を通して設置し、前記球収容空間下方には、それぞれ球盤を設置し、前記球盤中央には、出風口を設置し、前記出風口は、前記取球管下方位置に対応し、
前記導球台には、頂板、及び前記頂板下方の台体を設置し、前記頂板の板面上には、複数の上通孔を設置し、及び前記上通孔後方には、複数の回球孔を設置し、これにより、前記上通孔と回球孔は二つずつ一組となり、複数組の並列を形成し、
前記台体内部には、複数の球道を設置し、前記球道上端には、それぞれ前記上通孔を連接し、前記球道下端は、前記台体底部へと通じ、それぞれ下通孔を設置し、前記台体は、前記箱体上方に設置し、これにより、前記下通孔は、前記取球管の上方開口に対応し、前記取球管に連通し、
前記球コントロール台は、前記導球台の頂板上に設置され、上台板アセンブリ、下台板、少なくとも２個の立板、複数の収容設置管、移動板、複数の球レール、複数の送風機アセンブリを有し、
前記上台板アセンブリには、複数の出球孔を設置し、前記出球孔中には、横ガードをそれぞれ設置し、その孔径を区画し、
前記下台板は、前記上台板アセンブリの下方に設置され、しかも前記導球台の頂板上方に設置され、前記下台板の板面上には、複数の位置限定孔を設置し、前記位置限定孔は、組を成す前記上通孔及び回球孔位置にそれぞれ対応し、これにより、前記上通孔及び回球孔は、同時に、前記位置限定孔と相互に連通し、
前記少なくとも２個の立板は、前記上台板アセンブリ及び下台板の間に設置され、これにより、前記上台板アセンブリ及び下台板は、高架空間を形成し、
前記複数の収容設置管は、それぞれ前記高架空間内に設置され、しかも前記収容設置管の底端は、前記位置限定孔中に嵌めて設置され、前記収容設置管後端には、第一伸縮シリンダーをそれぞれ連設し、前記収容設置管上、下には、開口を有し、前記第一伸縮シリンダーに連動され、前、後に移動し、これにより、前記収容設置管は、前記位置限定孔前端に位置し、前記上通孔に連通し、及び出球孔は前記位置限定孔後端に位置し、前記回球孔に連通し、
前記移動板前端には、前孔を設置し、後端には、後孔を設置し、前記移動板後端には、それぞれ第二伸縮シリンダーを連設し、前記移動板は、前記下台板の底面にそれぞれ収容設置され、前記第二伸縮シリンダーに連動され、前、後に移動し、前記移動板は後退状態において、前記前孔は、前記上通孔の位置に対応し、相互連通を呈し、同時に前記移動板は、前記回球孔に対応し、前記移動板は前進状態において、前記後孔は、前記回球孔の位置に対応し、相互連通を呈し、同時に前記移動板は前記上通孔を封鎖し、
前記複数の球レールには、上開口及び下開口をそれぞれ設置し、前記上開口は、前記頂板の回球孔下方に設置し、前記下開口は、前記進球口の位置に対応し、前記進球口と下開口の間には、ゲートアセンブリを設置し、前記進球口を開き或いは閉じ、
前記複数の送風機アセンブリは、それぞれ前記球盤の出風口下方に設置される
ことを特徴とする、
エアー浮球機の構造。
【請求項２】
前記下台板の位置限定孔底面には、それぞれレール槽を設置し、前記移動板は、それぞれ前記下台板のレール槽内に収容設置される
ことを特徴とする、
請求項１に記載のエアー浮球機の構造。
【請求項３】
前記ゲートアセンブリは、逆Ｕ形のドアフレームに設置され、その両側には、それぞれレールを陥没状に設置し、前記レール上には、ゲートを陥没状に設置し、前記ゲート底部には、Ｌ形延伸部を有し、前記延伸部上方には、第三伸縮シリンダーを連設し、前記第三伸縮シリンダーは、前記ドアフレーム辺縁に固定するように設置され、これにより、前記ゲートは、前記第三伸縮シリンダーにより上、下に連動され、
前記ドアフレーム正面は、前記進球口外縁に設置され、前記下開口は、前記ドアフレーム背面に設置され、前記ゲートが下方へと移動して開くと、前記進球口と前記下開口とは開通し、前記ゲートが上方へと移動して閉まると、前記進球口と前記下開口とは封鎖される
ことを特徴とする、
請求項１に記載のエアー浮球機の構造。
【請求項４】
前記上台板アセンブリは、メイン板及びサブ板が相対して組成され、前記メイン板には、複数の上出球孔を設置し、前記サブ板には、複数の下出球孔を設置し、前記上出球孔と下出球孔は、対応して合わさった後、前記出球孔を形成し、
前記上出球孔底部外周円には、上環状溝を陥没状に設置し、前記下出球孔頂部外周円には、下環状溝を陥没状に設置し、前記上環状溝及び下環状溝の間には、インダクションコイルを収容して設置する
ことを特徴とする、
請求項１に記載のエアー浮球機の構造。
【請求項５】
前記収容設置管底部孔縁には、縦方向に相互に対応する２個の欠槽をそれぞれ設置し、前記移動板の前孔と後孔の間には、凸部を設置し、前記凸部は、前記収容設置管の欠槽を通過できる
ことを特徴とする、
請求項１に記載のエアー浮球機の構造。
【請求項６】
前記第一伸縮シリンダーは、それぞれ第一定位台に嵌めて設置され、前記第一定位台は、前記上台板アセンブリ下方に固定され、前記第二伸縮シリンダーは、第二定位台にそれぞれ嵌めて設置し、前記第二定位台は、前記導球台の頂板上に固定するように設置する
ことを特徴とする、
請求項１に記載のエアー浮球機の構造。
【請求項７】
前記収容設置管は、外部から管内へ、インダクション光ファイバーを通して設置する
ことを特徴とする、
請求項１に記載のエアー浮球機の構造。
【請求項８】
前記出風口上には、球止めバーを設置する
ことを特徴とする、
請求項１に記載のエアー浮球機の構造。
【請求項９】
前記球道は、下向き放射状に設置し、前記球道は底部両側から頂部へと集中する
ことを特徴とする、
請求項１に記載のエアー浮球機の構造。
【発明の詳細な説明】
【技術分野】
【０００１】
本発明はエアー浮球機の構造に関し、特に同時に多種のコンピューターゲームの球吸い出しに対応でき、及び異なる球の回收ルートに切り替えられるエアー浮球機の構造に関する。
【背景技術】
【０００２】
従来の球抽選ゲーム機は、図１に示す通り、円形筒体１１、球レール１３、球路コントロール機構１４を有する。
円形筒体１１内には、取球管１２を穿設する。
球レール１３は、上開口１３１、下開口１３２を有し、上開口１３１と取球管１２とは嵌めて接続される。
球路コントロール機構１４は、箱体１４１、ガイド溝１５及び回收ボックス１６を有する。
箱体１４１は、スイング動作をし、下開口１３２にそれぞれ対応する入球孔１４２及び回球孔１４３を設置する。
【０００３】
上述の構造により、筒体１１内には、多数の球１を入れ、「エアー吹き出し上昇」の方法で、その内の一球１を吸い出すことができる。
しかも、球路コントロール機構１４は、球１で、球レール１３の下開口１３２前を係止し、ゲームで選ばれた球１を展示することができる。
このステップを繰り返し、ゲームに必要な一個或いは多数の球１を吸い出すことができる。
その回のゲームが終了すると、球路コントロール機構１４の箱体１４１はスイング動作をし、これにより入球孔１４２は、下開口１３２に対応し、こうして球１は入球孔１４２を経て筒体１１に入り、次の回のゲームを行うことができる。
球路コントロール機構１４の箱体１４１がスイング動作をし、これにより回球孔１４３が下開口１３２に対応し、すべての球１がガイド溝１５を経て回收ボックス１６に入ると、ゲームで使用する球１を交換することができる。
【０００４】
上述の方法により、ゲーム球１抽選の目的を達成することはできるが、以下の欠点が存在する。
球抽選ゲーム機１０は同時に、ゲームの球を１抽選しか行うことができず、プレーヤーは他のゲームをプレイすることができない。
そのため、ゲームの終了を待ってからその場を離れ、別種の球抽選ゲーム機を探すこととなる。
この状況は、プレーヤーにとっては使用において不便で、もし数台のゲーム機を設置し同時にゲームを行っている場合には、プレーヤーは進行中の各ゲームで吸い出された各球を一度に観察することは難しい。
店側にとっては、球抽選ゲーム機１０の使用が制限されてしまい、より高い経済効果を達成することができない。
そのため、実用的とは言えない。
【発明の概要】
【発明が解決しようとする課題】
【０００５】
前記先行技術には、プレーヤーにとっては進行中の各ゲームで吸い出された各球を一度に観察することは難しく、店側にとっては球抽選ゲーム機の使用が制限されてしまい、より高い経済効果を達成することができないという欠点がある。
【課題を解決するための手段】
【０００６】
本発明はより優れた実用の効果を備え、エアー浮球機に複数の球収容空間を設置し、それぞれ異なるゲームの球を入れ、球コントロール台の収容設置管及び移動板の移動、切り替えを利用し、球はもとの球抽選ルート或いは球レールから回收され、コンピューターゲームの異なるニーズに応え、ゲーム機は同時に異なる球抽選ゲームを行うことができ、ゲームの進行を速め、経済的利益を高め、コストを低下させる効果を達成できるエアー浮球機の構造に関する。
【０００７】
本発明によるエアー浮球機の構造は、箱体、導球台、台体、球コントロール台を有する。
該箱体は、底部が開放を呈する矩形箱である。
該箱体には、複数の球収容空間を設置し、該球収容空間後側面には、それぞれ進球口を設置し、該球収容空間頂部には、それぞれ取球管を通して設置し、該球収容空間下方には、それぞれ球盤を設置し、該球盤中央には、出風口を設置し、該出風口は、該取球管下方位置に対応する。
該導球台には、頂板、及び該頂板下方の台体を設置する。
該頂板の板面上には、複数の上通孔を設置し、及び該上通孔後方には、複数の回球孔を設置し、これにより、該上通孔と回球孔は二つずつ一組となり、複数組の並列を形成する。
該台体内部には、複数の球道を設置し、該球道上端には、それぞれ該上通孔を連接し、該球道下端は、該台体底部へと通じ、それぞれ下通孔を設置し、該台体は、該箱体上方に設置し、これにより、該下通孔は、該取球管の上方開口に対応し、該取球管に連通する。
該球コントロール台は、該導球台の頂板上に設置され、上台板アセンブリ、下台板、少なくとも２個の立板、複数の収容設置管、移動板、複数の球レール、複数の送風機アセンブリを有する。
該上台板アセンブリには、複数の出球孔を設置し、該出球孔中には、横ガードをそれぞれ設置し、その孔径を区画する。
該下台板は、該上台板アセンブリの下方に設置され、しかも該導球台の頂板上方に設置される。
該下台板の板面上には、複数の位置限定孔を設置し、該位置限定孔は、組を成す該上通孔及び回球孔位置にそれぞれ対応する。
これにより、該上通孔及び回球孔は、同時に、該位置限定孔と相互に連通する。
該少なくとも２個の立板は、該上台板アセンブリ及び下台板の間に設置される。
これにより、該上台板アセンブリ及び下台板は、高架空間を形成する。
該複数の収容設置管は、それぞれ該高架空間内に設置され、しかも該収容設置管の底端は、該位置限定孔中に嵌めて設置される。
該収容設置管後端には、第一伸縮シリンダーをそれぞれ連設し、該収容設置管上、下には、開口を有し、該第一伸縮シリンダーに連動され、前、後に移動する。
これにより、該収容設置管は、該位置限定孔前端に位置し、該上通孔に連通し、及び出球孔は該位置限定孔後端に位置し、該回球孔に連通する。
該移動板前端には、前孔を設置し、後端には、後孔を設置する。
該移動板後端には、それぞれ第二伸縮シリンダーを連設し、該移動板は、該下台板の底面にそれぞれ収容設置され、該第二伸縮シリンダーに連動され、前、後に移動する。
該移動板は後退状態において、該前孔は、該上通孔の位置に対応し、相互連通を呈し、同時に該移動板は、該回球孔に対応する。
該移動板は前進状態において、該後孔は、該回球孔の位置に対応し、相互連通を呈し、同時に該移動板は該上通孔を封鎖する。
該複数の球レールには、上開口及び下開口をそれぞれ設置し、該上開口は、該頂板の回球孔下方に設置し、該下開口は、該進球口の位置に対応し、該進球口と下開口の間には、ゲートアセンブリを設置し、該進球口を開き或いは閉じる。
該複数の送風機アセンブリは、それぞれ該球盤の出風口下方に設置される。
【０００８】
本発明の一実施形態中において、該下台板の位置限定孔底面には、それぞれレール槽を設置し、該移動板は、それぞれ該下台板のレール槽内に収容設置される。
【０００９】
本発明の一実施形態中において、該ゲートアセンブリは、逆Ｕ形のドアフレームに設置され、その両側には、それぞれレールを陥没状に設置し、該レール上には、ゲートを陥没状に設置し、該ゲート底部には、Ｌ形延伸部を有し、該延伸部上方には、第三伸縮シリンダーを連設し、該第三伸縮シリンダーは、該ドアフレーム辺縁に固定するように設置され、これにより、該ゲートは、該第三伸縮シリンダーにより上、下に連動される。
該ドアフレーム正面は、該進球口外縁に設置され、該下開口は、該ドアフレーム背面に設置される。
該ゲートが下方へと移動して開くと、該進球口と該下開口とは開通し、該ゲートが上方へと移動して閉まると、該進球口と該下開口とは封鎖される。
【００１０】
本発明の一実施形態中において、該上台板アセンブリは、メイン板及びサブ板が相対して組成される。
該メイン板には、複数の上出球孔を設置し、該サブ板には、複数の下出球孔を設置し、該上出球孔と下出球孔は、対応して合わさった後、該出球孔を形成する。
該上出球孔底部外周円には、上環状溝を陥没状に設置し、該下出球孔頂部外周円には、下環状溝を陥没状に設置し、該上環状溝及び下環状溝の間には、インダクションコイルを収容して設置する。
【００１１】
本発明の一実施形態中において、該収容設置管底部孔縁には、縦方向に相互に対応する２個の欠槽をそれぞれ設置し、該移動板の前孔と後孔の間には、凸部を設置し、該凸部は、該収容設置管の欠槽を通過できる。
【００１２】
本発明の一実施形態中において、該第一伸縮シリンダーは、それぞれ第一定位台に嵌めて設置される。
該第一定位台は、該上台板アセンブリ下方に固定される。
該第二伸縮シリンダーは、第二定位台にそれぞれ嵌めて設置し、該第二定位台は、該導球台の頂板上に固定するように設置する。
【００１３】
本発明の一実施形態中において、該収容設置管は、外部から管内へ、インダクション光ファイバーを通して設置される。
【００１４】
本発明の一実施形態中において、該出風口上には、球止めバーを設置する。
【００１５】
本発明の一実施形態中において、該球道は、下向き放射状に設置し、該球道は底部両側から頂部へと集中する。
【００１６】
上述の構造により、該エアー浮球機は、該球収容空間から、対応するゲームの球をそれぞれ吸い出し、こうして同一機、同時間に、異なるゲームが行えるようになり、ゲームの速度を加速することができる。
しかも、プレーヤーは同時にすべてのゲームの吸い出された球を観察することができ、プレーヤーの興味を高め、及びゲーム機の経済的利益を高め、設備コストを引き下げることができる。
【図面の簡単な説明】
【００１７】
【図１】従来の構造の外観立体図である。
【図２】本発明に機器を結合する様子を示す立体分解図である。
【図３】本発明に機器を結合する様子を示す立体外観図である。
【図４】本発明のエアー浮球機全体の立体分解図である。
【図５】本発明の球コントロール台の立体分解図である。
【図６】本発明の上台板アセンブリの立体分解図である。
【図７】本発明の下台板の底視立体図である。
【図８】本発明のゲートアセンブリの立体分解図である。
【図９】本発明のゲートアセンブリの組合せ立体図である。
【図１０】本発明の球収容空間で球が浮き上がり撹拌される様子を示す断面図である。
【図１１】本発明の球コントロール台の球が抽選されていない状態を示す断面図である。
【図１２】本発明の球コントロール台の球が抽選された状態を示す断面図である。
【図１３】本発明の球コントロール台の球チップ角度を変える様子を示す断面図である。
【図１４】本発明の球コントロール台の球抽選後に球レールから球が回收される様子を示す断面図である。
【図１５】本発明のゲートアセンブリが進球口を閉める様子を示す断面図である。
【図１６】本発明のゲートアセンブリが進球口を開く様子を示す断面図である。
【発明を実施するための形態】
【００１８】
（一実施形態）
図２〜図１６に示す通り、エアー浮球機の構造は、箱体２０、導球台３０、球コントロール台４０を有する。
【００１９】
箱体２０は、底部が開放を呈する矩形箱である。
箱体２０には、多数の相同の隔絶板２１を設置し、これにより複数の球収容空間２２を区画する。
球収容空間２２後側面には、それぞれ進球口２３を設置する。
球収容空間２２頂部には、それぞれ取球管２４を通して設置する。
球収容空間２２下方には、それぞれ球盤２５を設置する。
球盤２５中央には、出風口２６を設置する。
出風口２６は、取球管２４下方位置に対応し、しかも出風口２６上には、球止めバー２７を設置する。
【００２０】
導球台３０には、頂板３１、及び頂板３１下方の台体３２を設置する。
頂板３１板面上には、整然と配列する複数の上通孔３３を設置し、及び上通孔３３後方には整然と配列する複数の回球孔３４を設置する。
これにより、上通孔３３と回球孔３４は二つずつ一組となり、複数組の並列を形成する。
台体３２内部には、下向きの放射状を呈する複数の球道３５を設置し、球道は底部両側から頂部へと集中する。
球道３５上端には、それぞれ上通孔３３を連接し、球道３５下端は、台体３２底部へと通じ、それぞれ下通孔３６を設置する。
台体３２は、箱体２０上方に設置し、これにより下通孔３６は、取球管２４の上方開口に対応し、取球管２４に連通する。
【００２１】
球コントロール台４０は、導球台３０の頂板３１上に設置され、上台板アセンブリ４１、下台板４４、少なくとも２個の立板４５、複数の収容設置管４６を有する。
【００２２】
上台板アセンブリ４１には、整然と配列する複数の出球孔４２を設置する。
出球孔４２中には、横ガード４３をそれぞれ設置し、その孔径を区画する。
上台板アセンブリ４１は、メイン板４１１及びサブ板４１２が相対して組成される。
メイン板４１１には、整然と配列する複数の上出球孔４１３を設置する。
サブ板４１２には、整然と配列する複数の下出球孔４１４を設置する。
上出球孔４１３と下出球孔４１４は、対応して合わさった後、出球孔４２を形成する。
上出球孔４１３底部外周円には、上環状溝４１５を陥没状に設置する。
下出球孔４１４頂部外周円には、下環状溝４１６を陥没状に設置する。
上環状溝４１５及び下環状溝４１６の間には、インダクションコイル４１７を収容して設置する。
【００２３】
下台板４４は、上台板アセンブリ４１の下方に設置され、しかも導球台３０の頂板３１上方に設置される。
下台板４４板面上には、整然と配列する複数の位置限定孔４４１を設置し、位置限定孔４４１は、組を成す上通孔３３及び回球孔３４位置にそれぞれ対応する。
これにより、上通孔３３及び回球孔３４は、同時に、位置限定孔４４１と相互に連通する。
しかも、下台板４４の位置限定孔４４１底面には、それぞれレール槽４４２を設置する。
【００２４】
少なくとも２個の立板４５は、上台板アセンブリ４１及び下台板４４の間に設置される。
これにより、上台板アセンブリ４１及び下台板４４は、高架空間４５１を形成する。
【００２５】
複数の収容設置管４６は、それぞれ高架空間４５１内に設置され、しかも収容設置管４６の底端は、位置限定孔４４１中に嵌めて設置される。
収容設置管４６後端には、第一伸縮シリンダー４６１をそれぞれ連設し、第一伸縮シリンダー４６１は、それぞれ第一定位台４６２に嵌めて設置される。
第一定位台４６２は、上台板アセンブリ４１下方に固定され、収容設置管４６上、下には、開口を有し、第一伸縮シリンダー４６１に連動され、前、後に移動する。
これにより、収容設置管４６は、位置限定孔４４１前端に位置し、上通孔３３に連通し、及び出球孔４２は位置限定孔４４１後端に位置し、回球孔３４に連通する。
収容設置管４６は、外部から管内へ、インダクション光ファイバー４６３を通して設置し、しかも収容設置管４６底部孔縁には、縦方向に相互に対応する２個の欠槽４６４をそれぞれ設置する。
【００２６】
移動板４７前端には、前孔４７１を設置し、後端には、後孔４７２を設置する。
前孔４７１と後孔４７２の間には、凸部４７３を設置する。
移動板４７後端には、それぞれ第二伸縮シリンダー４７４を連設する。
第二伸縮シリンダー４７４は、第二定位台４７５にそれぞれ嵌めて設置する。
第二定位台４７５は、導球台３０の頂板３１上に固定するように設置する。
移動板４７は、それぞれ下台板４４のレール槽４４２内に収容設置され、第二伸縮シリンダー４７４に連動され、前、後に移動する。
凸部４７３は、収容設置管４６の欠槽４６４を通過でき、阻害を受けることはない。
移動板４７は後退状態において、前孔４７１は、上通孔３３の位置に対応し、相互連通を呈し、同時に移動板４７は、回球孔３４に対応する。
移動板４７は前進状態において、後孔４７２は、回球孔３４の位置に対応し、相互連通を呈し、同時に移動板４７は上通孔３３を封鎖する。
【００２７】
球レール４８には、円形の上開口４８１及び円形の下開口４８２を設置する。
上開口４８１は、頂板３１の回球孔３４下方に設置し、下開口４８２は、進球口２３の位置に対応し、進球口２３と下開口４８２の間には、ゲートアセンブリ５０を設置する。
ゲートアセンブリ５０は、逆Ｕ形のドアフレーム５１に設置され、その両側には、それぞれレール５２を陥没状に設置する。
レール５２上には、ゲート５３を陥没状に設置し、ゲート５３底部には、Ｌ形延伸部５４を有する。
延伸部５４上方には、第三伸縮シリンダー５５を連設し、第三伸縮シリンダー５５は、ドアフレーム５１辺縁に固定するように設置する。
これにより、ゲート５３は、第三伸縮シリンダー５５により上、下に連動される。
ドアフレーム５１正面は、進球口２３外縁に設置され、下開口４８２は、ドアフレーム５１背面に設置される。
ゲート５３が下方へと移動して開くと、進球口２３と下開口４８２とは開通し、ゲート５３が上方へと移動して閉まると、進球口２３と下開口４８２とは封鎖される。
【００２８】
複数の送風機アセンブリ６０は、それぞれ球盤２５の出風口２６下方に設置される。
上述の構造により、エアー浮球機２００は、球収容空間２２から、対応するゲームの球１をそれぞれ吸い出し、こうして同一機、同時間に、異なるゲームが行えるようになり、ゲームの速度を加速することができる。
しかも、プレーヤーは同時にすべてのゲームの吸い出された球を観察することができ、プレーヤーの興味を高め、及びゲーム機の経済的利益を高め、設備コストを引き下げることができる。
【００２９】
上述の実施形態の組成、作用の詳細を以下の通り説明する。
図２〜図９に示す通り、本発明の一実施形態中において、エアー浮球機２００は、機器２のプラットフォーム３上に設置され、プラットフォーム３には、箱体２０形状に対応する定位槽４を陥没状に設置する（図２参照）。
定位槽４内には、出風口２６に対応する複数の通風口５を設置する。
送風機アセンブリ６０は、プラットフォーム３の通風口５下方に設置し、しかも箱体２０の球収容空間２２頂部には、それぞれ複数の対流孔２８を設置する。
【００３０】
これにより、送風機アセンブリ６０が生じる気流は、通風口５を経て球盤２５の出風口２６を通過し、球収容空間２２に進入する。
球収容空間２２に進入した気流は、さらに対流孔２８から外部へと流れる。
これにより、気流は、球収容空間２２中で球１を撹拌し、確率性的に球１を取球管２４内に進入させ吸い取られる。
しかも、箱体２０、導球台３０の外殼は透明状であるがこれに限定されない。
こうして、プレーヤーは必要な番号或いは模様の球１を、透明な外殼を通して見て、球１運動のルートを追跡でき、ゲーム時の緊張、期待の雰囲気を高め、プレーヤーの楽しさを拡大できる。
また、エアー浮球機２００は、コンピューターゲームプログラムによりコントロールされる。
エアー浮球機２００には、その機械部材及び感知信号をコントロールする回路基板７０を設置する。
回路基板７０は、信号をコンピューターゲームプログラムに伝送し演算と判断を行い、各機械部材の作動をコントロールする。
【００３１】
図２〜図１５に示す通り、ゲーム球の抽選を行う時には、コンピューターゲーム球抽選の過程を例として説明する。
先ず、第一伸縮シリンダー４６１は伸長し、収容設置管４６を位置限定孔４４１内の前端に移動させる。
これにより、上通孔３３、収容設置管４６及び出球孔４２は同一軸線の位置となる。
しかも、第二伸縮シリンダー４７４は伸長し、移動板４７を前方へと移動させる。
これにより、移動板４７の凸部４７３は、収容設置管４６の欠槽４６４を通過して管内に進入し、こうして上通孔３３及び収容設置管４６を隔て、連通しなくする（図１１参照）。
この時、送風機アセンブリ６０を起動する。
送風機アセンブリ６０の気流は、球盤２５の出風口２６を通過し上方へと吹き上がる。
これにより、球収容空間２２には上昇気流が発生し、球盤２５の球１は浮き上がって動き回る（図１０参照）。
気流は絶えず出風口２６から球収容空間２２中に進入しながら、対流孔２８から排出され、対流循環を形成する。
撹拌がある程度の時間続いた後、第二伸縮シリンダー４７４は收縮し、移動板４７を後方へと移動させ、凸部４７３は収容設置管４６の欠槽４６４から管外へと退出する。
これにより、移動板４７の前孔４７１は、上通孔３３と収容設置管４６の位置に対応する（図１２参照）。
こうして、上通孔３３と収容設置管４６は相互に連通し、取球管２４、下通孔３６、球道３５、上通孔３３及び収容設置管４６は相互連通のルートを呈し、送風機アセンブリ６０の気流は取球管２４に入り、出球孔４２から排出され対流循環を形成し、球１は確率的に取球管２４に進入する。
【００３２】
球道３５は、底部両側から頂部ヘ向かう上通孔３３に集中し、プレーヤーの観測が便利となる効果がある。
さらに、球止めバー２７は迅速に球１を撹拌するため、出風口２６での停留時間を長くし、チャンスを増やし、これにより球１は取球管２４に進入し、球を抽選する時間を短縮する効果を達成する。
球１が取球管２４から下通孔３６、球道３５及び上通孔３３を通過して収容設置管４６に進入すると、迅速に移動する球１は、出球孔４２の横ガード４３により妨げられる。
収容設置管４６上のインダクションコイル４１７は、球１内のチップを判読でき（チップ判読は従来の技術であるため、ここでは説明しない）、即ちゲームに必要な球１を抽選する。
この時、送風機アセンブリ６０は継続して気流を吹き出し、これにより球１は収容設置管４６中に停留し、落下することはない。
しかも、収容設置管４６のインダクション光ファイバー４６３は、球１が存在するか否かを感知でき、球１が存在するか否を確認でき、球収容空間２２或いは球レール４８中に確実に戻ったかどうかの探知を行うことができる。
【００３３】
インダクション光ファイバー４６３が、球１が収容設置管４６中に進入したと感知し、設定時間（例えば３秒）を超過していたなら、コンピューターゲームプログラムは、チップは遅延或いは不良と判定する。
この時、第二伸縮シリンダー４７４を伸長させ、これにより凸部４７３は収容設置管４６底部に進入する。
これにより、球１は跳ねて動き球１内のチップ角度を変え（図１３参照）、こうして球１チップ感知角度を修正する効果を達成する。
球１がインダクションコイル４１７により判読され、コンピューターゲームプログラムに球１の番号或いは模様が表示されると、コンピューターゲームは段階的に球１の抽選を完成し、ウェイティングの時間を表示する。
【００３４】
球１を回收する方法は以下の二種である。
一、コンピューターゲームプログラムは送風機アセンブリ６０を停止させる。球１のチップ角度を修正した時には、移動板４７の前孔４７１は移動して上通孔３３位置に対応する。球１は、もとの球抽選動作のルートから、球収容空間２２に戻り、継続して第二球１の吸い取りを行う。この動作は、コンピューターゲームが必要な球１を繰り返し吸い取る状況で使用する。
コンピューターゲームが終了し、次のコンピューターゲームを行おうとする時には、球１を回収する時間を待つ必要なく、直ちにゲームを行うことができる。
二、コンピューターゲームが球１を繰り返し吸い取る必要がないなら、コンピューターゲームは段階的に球１の抽選を完成した後、送風機アセンブリ６０は停止する必要はない。第三伸縮シリンダー５５は收縮し、これによりゲート５３は進球口２３を閉め、第一伸縮シリンダー４６１は收縮し、これにより収容設置管４６は、回球孔３４位置に対応し、同時に第二伸縮シリンダー４７４は、移動板４７の後孔４７２を回球孔３４位置に対応させる（図１４参照）。収容設置管４６に位置する球１は、これに従い、回球孔３４から球レール４８内に入る。球１は、ゲート５３により阻まれ、球レール４８中に保管され（図１５参照）、継続して第二球１の吸い取りを行う。これにより、球１は一つ一つ球レール４８中に重ねて置かれる。
【００３５】
コンピューターゲームが終了し、次のコンピューターゲームを行おうとする時には、コンピューターゲームプログラムは、第三伸縮シリンダー５５を伸長させ、これによりゲート５３は下方へと移動し、進球口２３を開き、球レール４８中の球１を重ねさせ、進球口２３を通して、すべてを球収容空間２２に入れ（図１６参照）、次のゲームを行い、自動回收の実用効果を達成する。
当然、同一時間において、他のコンピューターゲームもまた、球１抽選の動作を行うことができ、こうして同一機、同時間に、異なるゲームが行えるようになり、ゲームの速度を加速することができ、ゲーム機の経済的利益を高め、設備コストを引き下げることができる。
【００３６】
図１１〜図１４に示す通り、さらに、収容設置管４６の球１が、上通孔３３から球収容空間２２に戻り、或いは回球孔３４から球レール４８に入る時、インダクション光ファイバー４６３が球１を正確に回收されておらず、障害が発生していることを感知したなら（例えば、球１は収容設置管４６に存在すべきでないが、その停留時間が３秒を超過すると感知）、コンピューターゲームプログラムはゲームを一時停止させ、スタッフに連絡して処理し、障害が排除された後、再びコンピューターゲームを継続して行う。
【００３７】
前述した本発明の実施形態は本発明を限定するものではなく、よって、本発明により保護される範囲は後述される特許請求の範囲を基準とする。
【符号の説明】
【００３８】
〔従来の技術〕
１  球、
１０  球抽選ゲーム機、
１１  筒体、
１２  取球管、
１３  球レール、
１３１  上開口、
１３２  下開口、
１４  球路コントロール機構、
１４１  箱体、
１４２  入球孔、
１４３  回球孔、
１５  ガイド溝、
１６  回收ボックス、
〔本発明〕
２  機器、
２００  エアー浮球機、
２０  箱体、
２１  隔絶板、
２２  球収容空間、
２３  進球口、
２４  取球管、
２５  球盤、
２６  出風口、
２７  球止めバー、
２８  対流孔、
３  プラットフォーム、
３０  導球台、
３１  頂板、
３２  台体、
３３  上通孔、
３４  回球孔、
３５  球道、
３６  下通孔、
４  定位槽、
４０  球コントロール台、
４１  上台板アセンブリ、
４１１  メイン板、
４１２  サブ板、
４１３  上出球孔、
４１４  下出球孔、
４１５  上環状溝、
４１６  下環状溝、
４１７  インダクションコイル、
４２  出球孔、
４３  横ガード、
４４  下台板、
４４１  位置限定孔、
４４２  レール槽、
４５  立板、
４５１  高架空間、
４６  収容設置管、
４６１  第一伸縮シリンダー、
４６２  第一定位台、
４６３  インダクション光ファイバー、
４６４  欠槽、
４７  移動板、
４７１  前孔、
４７２  後孔、
４７３  凸部、
４７４  第二伸縮シリンダー、
４７５  第二定位台、
４８  球レール、
４８１  上開口、
４８２  下開口、
５  通風口、
５０  ゲートアセンブリ、
５１  ドアフレーム、
５２  レール、
５３  ゲート、
５４  延伸部、
５５  第三伸縮シリンダー、
６０  送風機アセンブリ、
７０  回路基板。
【図１】
2019092982.tif 000003
【図２】
2019092982.tif 000004
【図３】
2019092982.tif 000005
【図４】
2019092982.tif 000006
【図５】
2019092982.tif 000007
【図６】
2019092982.tif 000008
【図７】
2019092982.tif 000009
【図８】
2019092982.tif 000010
【図９】
2019092982.tif 000011
【図１０】
2019092982.tif 000012
【図１１】
2019092982.tif 000013
【図１２】
2019092982.tif 000014
【図１３】
2019092982.tif 000015
【図１４】
2019092982.tif 000016
【図１５】
2019092982.tif 000017
【図１６】
2019092982.tif 000018